(57)【要約】【課題】トッププレート上に置かれている鍋やフライパン等の調理器具と、リモコンにおける複数の操作スイッチとの対応関係を明確にして、操作性を高めることができるＩＨクッキングヒータを得ることを目的とする。【解決手段】ＩＨクッキングヒータ本体１が、トッププレート１ａ上に置かれている調理器具２の位置を検出し、その調理器具２の位置を示す位置情報を無線送信する機能を備え、リモコン３が、ＩＨクッキングヒータ本体１から無線送信された位置情報を受信し、その位置情報にしたがってトッププレート１ａにおける調理器具２の位置を表示する機能を有する。【選択図】図１
2010238586.tif 000002
【特許請求の範囲】
【請求項１】
トッププレート上に置かれている調理器具に熱を加える加熱用コイルを有するＩＨクッキングヒータ本体と、上記ＩＨクッキングヒータ本体の加熱用コイルの制御内容を受け付ける制御内容受付手段を有するとともに、上記制御内容受付手段により受け付けられた加熱用コイルの制御内容を示す制御信号を上記ＩＨクッキングヒータ本体に無線送信する制御信号送信手段を有するリモコンとを備えたＩＨクッキングヒータにおいて、上記ＩＨクッキングヒータ本体が、上記トッププレート上に置かれている調理器具の位置を検出する位置検出手段と、上記位置検出手段により検出された調理器具の位置を示す位置情報を無線送信する情報送信手段とを備え、上記リモコンが、上記ＩＨクッキングヒータ本体の情報送信手段から無線送信された位置情報を受信する情報受信手段と、上記情報受信手段により受信された位置情報にしたがって上記トッププレートにおける調理器具の位置を表示する表示手段とを備えていることを特徴とするＩＨクッキングヒータ。
【請求項２】
リモコンが調理器具に着脱自在に取り付けられることを特徴とする請求項１記載のＩＨクッキングヒータ。
【請求項３】
トッププレート上に置かれている調理器具の調理状態を検出する調理状態検出手段をＩＨクッキングヒータ本体に設け、
上記ＩＨクッキングヒータ本体の情報送信手段は、上記調理状態検出手段により検出された調理状態を示す調理状態情報を無線送信し、
リモコンの表示手段は、情報受信手段が上記ＩＨクッキングヒータ本体の情報送信手段から無線送信された調理状態情報を受信すると、上記調理状態情報にしたがって調理器具の調理状態を表示することを特徴とする請求項１または請求項２記載のＩＨクッキングヒータ。
【請求項４】
ＩＨクッキングヒータ本体の情報送信手段は、調理器具に内蔵されているＩＣタグと通信を実施して、上記ＩＣタグの識別情報を取得し、位置検出手段により検出された調理器具の位置を示す位置情報を無線送信する際、上記識別情報を上記位置情報と一緒にリモコンに無線送信することを特徴とする請求項１から請求項３のうちのいずれか１項記載のＩＨクッキングヒータ。
【請求項５】
リモコンの情報受信手段は、調理器具に内蔵されているＩＣタグと通信を実施して、上記ＩＣタグの識別情報を取得することを特徴とする請求項４記載のＩＨクッキングヒータ。
【請求項６】
リモコンは、制御内容受付手段、制御信号送信手段、情報受信手段及び表示手段に電力を供給する電力供給源と、外部から電力の供給を受けて、上記電力供給源を充電する充電手段とを備えていることを特徴とする請求項１から請求項５のうちのいずれか１項記載のＩＨクッキングヒータ。
【請求項７】
リモコンの充電手段は、ＩＨクッキングヒータ本体の加熱用コイルと調理器具に内蔵されている電磁誘導用コイル間の電磁誘導で発生する電力の供給を受けて、電力供給源を充電することを特徴とする請求項６記載のＩＨクッキングヒータ。
【請求項８】
リモコンの充電手段は、ＩＨクッキングヒータ本体の加熱用コイルとリモコン内の充電用コイル間の電磁誘導で発生する電力の供給を受けて、電力供給源を充電することを特徴とする請求項６記載のＩＨクッキングヒータ。
【請求項９】
リモコンの充電手段は、電力伝送用の送信器から電力の供給を受けて、電力供給源を充電することを特徴とする請求項６記載のＩＨクッキングヒータ。
【発明の詳細な説明】
【技術分野】
【０００１】
この発明は、加熱用コイルの制御内容を受け付ける操作部がリモコンで構成されているＩＨクッキングヒータに関するものである。
【背景技術】
【０００２】
従来のＩＨクッキングヒータは、ガスコンロなどと同様に、本体の前面部、あるいは、上面部に、操作部（例えば、加熱用コイルの制御内容を受け付ける複数の操作スイッチ）と表示部（例えば、火力やメニューなどを表示するディスプレイ）が設けられている。
このため、視認性が非常に悪く、加熱用コイルのオン／オフや火力の調整などの操作や、タイマなどの表示確認の際には、ユーザが前屈みや中腰になるなどして対応する必要がある。
【０００３】
以下、特許文献１には、ユーザの視認性を高めるために、ＩＨクッキングヒータの本体から操作部を着脱できるようにして、操作部（リモコン）をユーザの好きな位置に設置することが可能なＩＨクッキングヒータが開示されている。
【先行技術文献】
【特許文献】
【０００４】
【特許文献１】特開２００５−１３５７１８号公報（段落番号［００２５］、図２）
【発明の概要】
【発明が解決しようとする課題】
【０００５】
従来のＩＨクッキングヒータは以上のように構成されているので、リモコンをユーザの好きな位置に設置することが可能であり、ユーザの視認性を高めることができる。しかし、加熱用コイルを遠隔操作することになるため、トッププレート上に置かれている鍋やフライパン等の調理器具と、リモコンにおける複数の操作スイッチとの対応関係が分かり辛くなるなどの課題があった。
【０００６】
この発明は上記のような課題を解決するためになされたもので、トッププレート上に置かれている鍋やフライパン等の調理器具と、リモコンにおける複数の操作スイッチとの対応関係を明確にして、操作性を高めることができるＩＨクッキングヒータを得ることを目的とする。
【課題を解決するための手段】
【０００７】
この発明に係るＩＨクッキングヒータは、ＩＨクッキングヒータ本体が、トッププレート上に置かれている調理器具の位置を検出する位置検出手段と、位置検出手段により検出された調理器具の位置や調理状況を示す情報を無線送信する情報送信手段とを備え、リモコンが、ＩＨクッキングヒータ本体の情報送信手段から無線送信された情報を受信する情報受信手段と、情報受信手段により受信された情報にしたがってトッププレートにおける調理器具の位置や調理状況を表示する表示手段とを備えるようにしたものである。調理状況とは火力やタイマなどのステータスのことを言う。
【発明の効果】
【０００８】
この発明によれば、ＩＨクッキングヒータ本体が、トッププレート上に置かれている調理器具の位置を検出する位置検出手段と、位置検出手段により検出された調理器具の位置を示す位置情報を無線送信する情報送信手段とを備え、リモコンが、ＩＨクッキングヒータ本体の情報送信手段から無線送信された位置情報を受信する情報受信手段と、情報受信手段により受信された位置情報にしたがってトッププレートにおける調理器具の位置を表示する表示手段とを備えるように構成したので、トッププレート上に置かれている鍋やフライパン等の調理器具と、リモコンにおける複数の操作スイッチ（制御内容受付手段）との対応関係を明確にして、操作性を高めることができる効果がある。
【図面の簡単な説明】
【０００９】
【図１】この発明の実施の形態１によるＩＨクッキングヒータを示す構成図である。
【図２】この発明の実施の形態１によるＩＨクッキングヒータの本体１を示す構成図である。
【図３】この発明の実施の形態１によるＩＨクッキングヒータのリモコン３を示す外観図である。
【図４】この発明の実施の形態１によるＩＨクッキングヒータのリモコン３を示す構成図である。
【図５】この発明の実施の形態１によるＩＨクッキングヒータに適用される調理器具２を示す斜視図である。
【図６】リモコン３の充電用コイル３７が電力の供給を受けている状態を示す説明図である。
【発明を実施するための形態】
【００１０】
実施の形態１．
図１はこの発明の実施の形態１によるＩＨクッキングヒータを示す構成図である。
図１において、ＩＨクッキングヒータ本体１のトッププレート１ａの上には、調理器具２が置かれており、リモコン３が調理器具２（例えば、鍋の取っ手）に着脱自在に取り付けられている。
例えば、リモコン３にマグネットが取り付けられていれば、金属性の調理器具２に着脱自在に取り付けることが可能である。
また、リモコン３にクリップが取り付けられていれば、そのクリップが挟むことが可能な鍋の取っ手などに着脱自在に取り付けることが可能である。
あるいは、調理器具２に対する取付金具がリモコン３に取り付けられていれば、その取付金具によって、調理器具２に着脱自在に取り付けることが可能である。
【００１１】
加熱用コイル１１はトッププレート１ａの下部に設置され、制御回路１２の制御の下で、電磁誘導により調理器具２に熱を加える部材である。
制御回路１２はリモコン３から無線送信される加熱用コイル１１の制御信号にしたがって加熱用コイル１１のＯＮ／ＯＦＦや火力を調整する処理のほか、トッププレート１ａ上に置かれている調理器具２の位置を検出するなどの処理を実施する。
通信モジュール１３はリモコン３と無線通信を実施するとともに、調理器具２に内蔵されているＩＣタグ２２と無線通信を実施する通信機器である。
【００１２】
電磁誘導用コイル２１は調理器具２の下部に設置され、リモコン３に電力を供給するために、ＩＨクッキングヒータ本体１の加熱用コイル１１との間の電磁誘導用によって電力を発生する部材である。
ＩＣタグ２２は固有の識別情報が割り当てられており、ＩＨクッキングヒータ本体１の通信モジュール１３と無線通信を実施して、その識別情報を通信モジュール１３に送信するとともに、リモコン３の通信モジュール３４と無線通信を実施して、その識別情報を通信モジュール３４に送信する処理を実施する。
リモコン３の通信モジュール３４はＩＨクッキングヒータ本体１と無線通信を実施するとともに、調理器具２に内蔵されているＩＣタグ２２と無線通信を実施する通信機器である。
【００１３】
図２はこの発明の実施の形態１によるＩＨクッキングヒータの本体１を示す構成図である。
図２において、電源部１４は通信モジュール１３、調理制御部１５及びインバータ回路１６に電力を供給する電力供給源である。
通信モジュール１３はリモコン３から無線送信された加熱用コイル１１の制御内容を示す制御信号を受信する処理のほか、調理制御部１５により検出された調理器具２の位置を示す位置情報をリモコン３に無線送信する処理などを実施する。なお、通信モジュール１３は情報送信手段を構成している。
【００１４】
調理制御部１５は通信モジュール１３により受信された制御信号にしたがってインバータ回路１６を制御することで、加熱用コイル１１のＯＮ／ＯＦＦや火力を調整する処理を実施するとともに、インバータ回路１６を制御することで、微弱な電流を全ての加熱用コイル１１に供給し、調理器具２に内蔵されている電磁誘導用コイル２１あるいは磁性体を含む調理器具と電磁誘導が生じている加熱用コイル１１を検知することにより、トッププレート１ａ上に置かれている調理器具２の位置を検出する処理を実施する。なお、調理制御部１５は位置検出手段を構成している。
インバータ回路１６は調理制御部１５の制御の下、電流を加熱用コイル１１に供給する回路である。
【００１５】
図３はこの発明の実施の形態１によるＩＨクッキングヒータのリモコン３を示す外観図であり、図４はこの発明の実施の形態１によるＩＨクッキングヒータのリモコン３を示す構成図である。
図３及び図４において、操作スイッチ３１はＩＨクッキングヒータ本体１の加熱用コイル１１の制御内容（例えば、加熱用コイル１１のＯＮ／ＯＦＦや火力の調整）を受け付ける処理を実施する。
なお、操作スイッチ３１は制御内容受付手段を構成している。
【００１６】
制御部３２は通信モジュール３４がＩＨクッキングヒータ本体１から無線送信された情報を受信すると、その情報にしたがってトッププレート１ａにおける調理器具２の位置や調理状況を表示部３３に表示する処理を実施する。
表示部３３は制御部３２の制御の下、トッププレート１ａにおける調理器具２の位置や調理状況を表示するディスプレイである。
【００１７】
通信モジュール３４はＩＨクッキングヒータ本体１から無線送信された位置情報を受信する処理のほか、操作スイッチ３１により受け付けられた加熱用コイル１１の制御内容を示す制御信号をＩＨクッキングヒータ本体１に無線送信する処理などを実施する。
なお、通信モジュール３４は情報受信手段及び制御信号送信手段を構成している。
【００１８】
バッテリ３５は電力を蓄えている充電可能な電力供給源である。
調理器具インタフェース３６は調理器具２に内蔵されている電磁誘導用コイル２１で発生している電力の供給を受けるインタフェースである（図５を参照）。
充電用コイル３７はＩＨクッキングヒータ本体１の加熱用コイル１１と近づいたとき、加熱用コイル１１、あるいは電力伝送用の送信器４０との間の電磁誘導によって電力が発生する部材である。
駆動／充電回路３８はバッテリ３５に蓄えられている電力を操作スイッチ３１、制御部３２、表示部３３及び通信モジュール３４に供給するとともに、調理器具インタフェース３６または充電用コイル３７により得られた電力をバッテリ３５に充電する処理を実施する。
なお、調理器具インタフェース３６、充電用コイル３７及び駆動／充電回路３８から充電手段が構成されている。
取付金具３９は調理器具２に取り付けるための金具である。
【００１９】
次に動作について説明する。
リモコン３は、調理器具２（例えば、鍋の取っ手）に着脱自在に取り付けられており、調理器具２から外して、ユーザの好きな位置に設置することができる。
ユーザが調理器具２をトッププレート１ａ上の任意の位置に設置すると、制御回路１２の調理制御部１５が、トッププレート１ａ上に置かれている調理器具２の位置を検出する処理を実施する。
【００２０】
具体的には、調理制御部１５は、インバータ回路１６を制御することで、微弱な電流を全ての加熱用コイル１１に供給し、調理器具２に内蔵されている電磁誘導用コイル２１あるいは磁性体を含む調理器具と電磁誘導が生じている加熱用コイル１１を検知することにより、トッププレート１ａ上に置かれている調理器具２の位置を検出する。
ここでは、電磁誘導用コイル２１と電磁誘導が生じている加熱用コイル１１を検知することで、調理器具２の位置を検出するものについて示したが、これは一例に過ぎず、例えば、トッププレート１ａに重みが加わっている位置を検出するセンサや、トッププレート１ａ上を撮影するカメラなどを用いて、調理器具２の位置を検出するようにしてもよい。
【００２１】
ＩＨクッキングヒータ本体１の通信モジュール１３は、調理器具２に内蔵されているＩＣタグ２２と無線通信を実施して、ＩＣタグ２２の識別情報を取得する。
通信モジュール１３は、制御回路１２の調理制御部１５が調理器具２の位置を検出すると、その調理器具２の位置を示す位置情報をＩＣタグ２２の識別情報と一緒にリモコン３に無線送信する。
【００２２】
リモコン３の通信モジュール３４は、ＩＨクッキングヒータ本体１の通信モジュール１３から無線送信された位置情報とＩＣタグ２２の識別情報を受信する。
また、通信モジュール３４は、調理器具２に内蔵されているＩＣタグ２２と無線通信を実施して、ＩＣタグ２２の識別情報を取得する。
リモコン３の制御部３２は、通信モジュール３４がＩＣタグ２２から取得した識別情報と、ＩＨクッキングヒータ本体１から無線送信されたＩＣタグ２２の識別情報が一致していれば、その識別情報と一緒に無線送信された位置情報にしたがってトッププレート１ａにおける調理器具２の位置を表示部３３に表示する。
【００２３】
例えば、図３に示すように、操作スイッチ３１が３個あるタイプの場合において、ＩＨクッキングヒータ本体１から無線送信された位置情報が示す調理器具２の位置が、図中、トッププレート１ａの中央付近であれば、真中の操作スイッチ３１に対応する表示部３３の中央に調理器具２を示すマーク（例えば、円形）を表示する。
また、ＩＨクッキングヒータ本体１から無線送信された位置情報が示す調理器具２の位置が、図中、トッププレート１ａの左端であれば、左側の操作スイッチ３１に対応する表示部３３の左端に調理器具２を示すマーク（例えば、円形）を表示する。
また、ＩＨクッキングヒータ本体１から無線送信された位置情報が示す調理器具２の位置が、図中、トッププレート１ａの右端であれば、右側の操作スイッチ３１に対応する表示部３３の右端に調理器具２を示すマーク（例えば、円形）を表示する。
【００２４】
ここでは、通信モジュール３４がＩＣタグ２２から取得した識別情報と、ＩＨクッキングヒータ本体１から無線送信されたＩＣタグ２２の識別情報が一致しているか否かを判別しているが、その理由は、例えば、複数台のＩＨクッキングヒータ本体１が近くに設置されているような場合、調理器具２がどちらのＩＨクッキングヒータ本体１に置かれているのか分からなくなることがあるからである。
したがって、ＩＨクッキングヒータ本体１が１台だけ設置されているような場合には、識別情報の一致を判別せずに、通信モジュール３４により受信された位置情報にしたがってトッププレート１ａにおける調理器具２の位置を表示部３３に表示するようにしてもよい。
【００２５】
また、ここでは、制御部３２が通信モジュール３４により受信された位置情報にしたがってトッププレート１ａにおける調理器具２の位置を表示部３３に表示するものについて示したが、通信モジュール３４により受信された識別情報も一緒に表示部３３に表示するようにしてもよい。
また、識別情報が調理器具２の種類（例えば、鍋、フライパン）を示しているような場合には、調理器具２の種類を表示部３３に表示するようにしてもよい。
【００２６】
これにより、ユーザは、トッププレート１ａ上に置かれている鍋やフライパン等の調理器具２と、リモコン３における複数の操作スイッチ３１との対応関係を明確に認識することができる。
ユーザがトッププレート１ａ上に置かれている調理器具２に対応する操作スイッチ３１を操作すると、操作スイッチ３１により受け付けられた操作内容、即ち、加熱用コイル１１の制御内容を示す制御信号が制御部３２に出力される。
制御部３２は、操作スイッチ３１から加熱用コイル１１の制御内容を示す制御信号を受けると、その制御信号を通信モジュール３４に出力する。
通信モジュール３４は、制御部３２から制御信号を受けると、その制御信号をＩＨクッキングヒータ本体１に無線送信する。
【００２７】
ＩＨクッキングヒータ本体１の通信モジュール１３は、リモコン３から無線送信された加熱用コイル１１の制御内容を示す制御信号を受信すると、その制御信号を調理制御部１５に出力する。
調理制御部１５は、通信モジュール１３から制御信号を受けると、その制御信号にしたがってインバータ回路１６を制御することで、調理器具２が置かれている位置の加熱用コイル１１のＯＮ／ＯＦＦや火力を調整する。
【００２８】
ここで、調理器具２の下部には、電磁誘導用コイル２１が設置されているため、電磁誘導用コイル２１と加熱用コイル１１間の電磁誘導用によって電力が発生する。
このとき、リモコン３の調理器具インタフェース３６が、図５に示すように、調理器具２と接触していれば、電磁誘導用コイル２１と加熱用コイル１１間で発生した電力を取得することができるので、その電力を駆動／充電回路３８に供給する。
調理器具２に電磁誘導用コイル２１が設置されていない場合、リモコン３への充電ができなくなるだけであり、電磁誘導用コイル２１が必ずしも調理器具２に設置されている必要はない。
【００２９】
また、リモコン３の充電用コイル３７が、図６に示すように、加熱用コイル１１と近づくと、加熱用コイル１１との間の電磁誘導によって電力が発生するので、その電力を駆動／充電回路３８に供給する。
あるいは、リモコン３の充電用コイル３７が、電力伝送用の送信器４０（例えば、ＷｉＴｒｉｃｉｔｙの技術が採用されている送信器）から電力の供給を受けて、その電力を駆動／充電回路３８に供給する。
駆動／充電回路３８は、バッテリ３５に蓄えられている電力を操作スイッチ３１、制御部３２、表示部３３及び通信モジュール３４に供給することで駆動するが、調理器具インタフェース３６又は充電用コイル３７から電力の供給を受けると、その電力をバッテリ３５に充電する。
【００３０】
以上で明らかなように、この実施の形態１によれば、ＩＨクッキングヒータ本体１が、トッププレート１ａ上に置かれている調理器具２の位置を検出し、その調理器具２の位置を示す位置情報を無線送信する機能を備え、リモコン３が、ＩＨクッキングヒータ本体１から無線送信された位置情報を受信し、その位置情報にしたがってトッププレート１ａにおける調理器具２の位置を表示するように構成したので、トッププレート１ａ上に置かれている鍋やフライパン等の調理器具２と、リモコン３における複数の操作スイッチ３１との対応関係を明確にして、操作性を高めることができる効果を奏する。
【００３１】
また、この実施の形態１によれば、リモコン３が調理器具２に着脱自在に取り付けられるように構成したので、リモコン３を調理器具２から外して、ユーザの好きな位置に設置して操作を行うことができる一方、リモコン３を調理器具２に取り付けた状態でも、操作を行うことができる効果を奏する。
【００３２】
また、この実施の形態１によれば、ＩＨクッキングヒータ本体１の通信モジュール１３が、調理器具２に内蔵されているＩＣタグ２２と通信を実施して、ＩＣタグ２２の識別情報を取得し、調理制御部１５により検出された調理器具２の位置を示す位置情報を無線送信する際、その識別情報を位置情報と一緒にリモコン３に無線送信するように構成したので、トッププレート１ａにおける調理器具２の位置を表示するだけでなく、その調理器具２の識別情報や種類などを表示することができる効果を奏する。
【００３３】
また、この実施の形態１によれば、リモコン３の通信モジュール３４が、調理器具２に内蔵されているＩＣタグ２２と通信を実施して、ＩＣタグ２２の識別情報を取得するように構成したので、例えば、複数台のＩＨクッキングヒータ本体１が近くに設置されているような場合でも、調理器具２がどちらのＩＨクッキングヒータ本体１に置かれているのかを特定することができる効果を奏する。
【００３４】
さらに、この実施の形態１によれば、駆動／充電回路３８が、調理器具インタフェース３６又は充電用コイル３７から電力の供給を受けると、その電力をバッテリ３５に充電するように構成したので、例えば、定期的に交換する必要がある電池などをリモコン３に搭載しないでも、リモコン３の電力を確保することができる効果を奏する。
【００３５】
実施の形態２．
上記実施の形態１では、ＩＨクッキングヒータ本体１の通信モジュール１３が、調理制御部１５により検出された調理器具２の位置を示す位置情報をリモコン３に無線送信するものについて示したが、トッププレート１ａ上に置かれている調理器具２の調理状態を検出する調理状態検出手段が設けられている場合、ＩＨクッキングヒータ本体１の通信モジュール１３が、調理器具２の調理状態を示す調理状態情報をリモコン３に無線送信するようにしてもよい。
【００３６】
具体的には、調理器具２の調理状態を検出する調理状態検出手段として、調理器具２の底部の温度を検出する温度センサや、調理器具２内の沸騰状態を検出する画像センサなどを設ける。
ＩＨクッキングヒータ本体１の通信モジュール１３は、調理状態検出手段が調理器具２の調理状態を検出すると、調理器具２の調理状態を示す調理状態情報をリモコン３に無線送信する。
【００３７】
リモコン３の通信モジュール３４は、ＩＨクッキングヒータ本体１の通信モジュール１３から無線送信された調理状態情報を受信する。
リモコン３の制御部３２は、通信モジュール３４が調理状態情報を受信すると、その調理状態情報にしたがって調理器具２の調理状態（例えば、温度、沸騰状態）を表示部３３に表示する。
【００３８】
以上で明らかなように、この実施の形態２によれば、トッププレート１ａ上に置かれている調理器具２の調理状態を検出する調理状態検出手段を設け、ＩＨクッキングヒータ本体１の通信モジュール１３が、調理器具２の調理状態を示す調理状態情報をリモコン３に無線送信し、リモコン３の制御部３２が調理状態情報にしたがって調理器具２の調理状態を表示するように構成したので、例えば、ユーザがＩＨクッキングヒータ本体１から離れた位置にリモコン３を持って移動した場合でも、調理状態を把握することができる効果を奏する。
【符号の説明】
【００３９】
１  ＩＨクッキングヒータ本体、１ａ  トッププレート、２  調理器具、３  リモコン、１１  加熱用コイル、１２  制御回路、１３  通信モジュール（情報送信手段）、１４  電源部、１５  調理制御部（位置検出手段）、１６  インバータ回路、２１  電磁誘導用コイル、２２  ＩＣタグ、３１  操作スイッチ（制御内容受付手段）、３２  制御部（表示手段）、３３  表示部（表示手段）、３４  通信モジュール（情報受信手段、制御信号送信手段）、３５  バッテリ（電力供給源）、３６  調理器具インタフェース（充電手段）、３７  充電用コイル（充電手段）、３８  駆動／充電回路（充電手段）、３９  取付金具、４０  電力伝送用の送信器。
【図１】
2010238586.tif 000003
【図２】
2010238586.tif 000004
【図３】
2010238586.tif 000005
【図４】
2010238586.tif 000006
【図５】
2010238586.tif 000007
【図６】
2010238586.tif 000008